(57)【特許請求の範囲】
【請求項１】
円盤状をなす蓋板(1)の受枠(2)が、内壁上部に蓋板(1)の担持部を有する円筒状の内枠(3)と地下構築物の地上開口部に取り付けるための据付部と据付部の上方に内枠(3)が嵌合する円筒部を有する外枠(4)とよりなり、内枠(3)の下端面の円周を３等分する位置に逆台形状の脚片(5)を垂設し、外枠(4)の内壁下縁の内周を３等分する位置の内壁面に内枠(3)の逆台形状の脚片(5)の相対する側辺面(11),(11)と同じ傾斜角度を有する傾斜面(12),(12)を相対する面にそれぞれ設けた脚片受(6),(6)を張設し、内枠(3)を外枠(4)に嵌合したとき内枠(3)の脚片(5)の側辺面(11),(11)が外枠(4)の脚片受(6),(6)の傾斜面(12),(12)に接触し支えられるようにすると共に、脚片(5)と脚片受(6),(6)間に脚片(5)の側辺面(11),(11)と同じ傾斜角度を有する上方に拡開した傾斜片(15),(15)を有する嵩上用の座金(14)を装着できるよう構成してなる地下構築物用の蓋板の受枠。
【請求項２】
請求項１記載の受枠(2)が、内壁上部に蓋板(1)の担持部を有し、かつ、下端面の円周を３等分する位置に逆台形状の脚片(5)を垂設した内枠(21)と地下構築物の地上開口部に取付けられる据付部を有しその上方に内枠(21)が嵌合する円筒部を有する外枠(22)とよりなり、外枠(22)の内壁下端に内方に向って支持棚(25)を棚設し、内壁面の内周とほゞ等しい外周をもち上端面の円周を３分割した位置にそれぞれ両辺が内枠(21)に垂設された脚片(5)と同じ傾斜角度の辺を有する台形状の脚片受(27)を最初の脚片受(27)と次の脚片受(27)の頂部間の間隙を内枠(21)の脚片(5)の基部の幅と一致させ、順次脚片受(27),(27)の頂部間の間隙を一定長さだけ狭くなるよう脚片受(27),(27)…を隆設した支持環(26)が支持棚(25)に担持され、かつ、回動可能に装着したことを特徴とする地下構築物用の蓋板の受枠。
【請求項３】
請求項１，２記載の受枠(2)において、内枠(3)または(21)および外枠(4)または(22)の内壁下端部の内周を３等分する位置に連結棚(7),(8)をそれぞれ棚設し、内枠(3)の連結棚(7)にはボルト軸を側面より嵌挿できるボルト挿通溝(9)を、外枠(4)には上面開口部にボルト頭が嵌合する窪み(13)を設けたボルト挿通孔(10)を設けたことを特徴とする地下構築物用の蓋板の受枠。
【発明の詳細な説明】
【０００１】
【発明の属する技術分野】
本発明は、道路などに設けられる地下構築物の地上開口部に設けられる蓋板の受枠に関するもので、特に円盤状の蓋板面を地表面と一致させるための高さ調節機構のついた地下構築物用の蓋板の受枠に関するものである。
【０００２】
【従来の技術】
従来より、道路なとに設けられる下水道の点検用マンホール、上水道に設けられる消火栓筐、制水弁筺なと、また地中に埋設された電気、通信などのケーブルの分岐点などに設けられる地中箱などの地下構築物の地上開口部には、鋳鉄装の円盤状の蓋とその受枠が、蓋板面が地表面と一致するよううに取付けられる。
【０００３】
このように施工された地下構築物用の蓋板の受枠は、道路の舗装の補修などのため蓋板面と地表面の間に段差が生ずることがあり、蓋板面を地表面と一致させるため嵩上げをする必要が生ずる。この場合、受枠の周囲を露出させて受枠と地下構築物との間に平座金などを挿入し高さを調節する方法がとられており、平座金の形状および挿入方法に関し多くの提案が見受けられる。
【０００４】
このような受枠を露出させ嵩上げする方法は手間がかゝるため、、受枠の内壁側に蓋板担持部を有する円筒部と地下構築物との取付部の台座部に分割製作して円筒部と台座部を内壁側で連結するよう構成し、嵩上時には円筒部のみを上方に持ち上げ、円筒部と台座部間に嵩上用スペーサを挿入するマンホール蓋受枠が特開平９−１１１７８９号、同９−１２５４３０号で提案されており、さらには受枠の円筒部を２重にして制水弁筐に見られる如く螺合するよう構成し高さを調節できるようにしたもの、外筒の内壁面に設けた階段状の段部に、内筒の外側壁面または下端を階段状の縁部を設けて高さを調節できるようにしたマンホールの蓋が実公昭６０−２０６６８号、実開昭６２−１１０３５０号などで提案されている。
【０００５】
【発明が解決しようとする課題】
以上述べた如く、道路などの舗装の補修による地表面の高さの変化に対応するため受枠の嵩上げ方法が種々提案され実施されて来たが、受枠を露出させ嵩上げする方法は手間のかゝることであり、円筒部と台座部を分離製作する方法も円筒部の引き上げには機械装置が必要であるなど面倒なことである。
【０００６】
また、嵩上時複数枚の座金を挿入した場合、受枠の座金挿入部と座金間が完全に密着せず、時間の経過と共に密着し受枠にがたつきやボルト，ナットが緩むなどの欠点があった。
本発明は、道路などの舗装の修理により地表面の高さの変化に容易に対応出来、特に機械装置を使用せずに嵩上げ高さを調節でき、がたつきの生じない蓋板の受枠を提供するを目的とする。
【０００７】
【課題を解決するための手段】
上記目的を達成するために、本発明の蓋板の受枠においては、受枠の内壁上端部に蓋板の担持部を有する円筒状の内枠と地下構築物の地上開口部に取付けるための据付部の上方に円筒状の内枠が嵌合する円筒部を有する外枠とよりなり、内枠の円形をなす下端面を３等分した位置に逆台形状の脚片を垂設し、外枠の内壁下縁の内周を３等分する位置の内壁面に脚片受を張設して内枠の３つの脚片がそれぞれ嵌合し傾斜面で内枠を支えるようにし、上方に拡開した相対する傾斜片を有し内枠の脚片と外枠の脚片受間に装着される嵩上用の座金を挿入出来るよう構成せるものである。
【０００８】
なお、この場合内枠の脚片は台形状の傾斜する相対する２つの側辺面で支えられるよう構成すればよいので台形状の脚片の中間部を省略成型するも差支えなく、嵩上用の座金の厚さ、特に傾斜する傾斜辺の厚さにより嵩上げの高さが決められるが、薄い厚さの座金を複数枚重ねるも厚さの異なる座金を用いるも差支えない。
【０００９】
また、外枠の内壁面の内周とほぼ等しい長さの外周を持つ環状体の上端面に、両側面が内枠の脚片の傾斜角度に等しい角度の傾斜面を有する脚片受を、上端面の円周を３分割した位置に脚片受の上端の間隙を脚片の基部の幅と一致させたものより順次一定の艮さで狭くなるように脚片受を隆設して支持環となして外枠の内壁下端に棚設した支持棚で担持し回動可能に装着し、内枠の脚片と支持環の脚片受の嵌合位置を変えることにより嵩上げ高さを変えることが出来るようにし解決せるものである。
【００１０】
なお、外枠の内壁下端の内周を、または支持棚を棚状に周設せる場合は支持棚の内周を３等分する位置にボルト挿通孔を穿設した連結棚を棚設し、内枠の内壁下端部の前面側には前面側より嵌挿できるボルト挿通溝を形成すると共に、外枠の連結棚のポルト挿通孔の上面にボルト頭が嵌合する窪みを設け、ボルト，ナットで内枠と外枠を連結する。
また、連結棚は内枠の脚片垂設部、外枠の脚片受張設部のそれぞれ内壁面に設けるとよく、内枠の連結棚のボルト挿通孔上面にもボルト頭が嵌合する窪みを形成させるとよい。
【００１１】
【発明の実施の形態】
発明の実施の形態を実施例にもとづき図面を参照して説明する。
〔実施例１〕  図１，２および３に示す実施例の蓋板(1)の受枠(2)は、内壁上端部に円盤状の蓋板(1)が嵌合し担持する円筒状の内枠(3)と、地下構築物の地上開口部に設置するための据付部と前記内枠(3)が嵌合する円筒部を有する外枠(4)とよりなり、内枠(3)は内枠(3)の下端面を３等分する位置に相対する２つの側辺面(11),(11)の傾斜角度が等しく下方に向って先細となった逆台形状の脚片(5)が垂設され、外枠(4)の内壁下端の内壁面を３等分する位置に内枠(3)の脚片(5)の側辺面(11),(11)と同じ傾斜角度を有する傾斜面(12),(12)を形成した脚片受(6),(6)を張設し、内枠(3)を外枠(4)に嵌合したとき内枠(3)の脚片(5)の相対する側辺面(11),(11)と外枠(4)の脚片受(6),(6)の傾斜面(12),(12)が接し内枠(3)を支えるよう構成する。
【００１２】
さらに、図２，３に示す如く、内枠(3)の脚片(5)垂設部の内壁下縁となる位置と外枠(4)の脚片受(6),(6)の中央部の内壁下縁となる位置にそれぞれボルト挿通孔を穿設した連結棚(7),(8)が棚設され、内枠(3)の連結棚(7)のボルト挿通孔は前面側よりボルト軸が嵌挿できるボルト挿通溝(9)とし、外枠(4)の連結棚(8)のボルト挿通孔(10)の上面にはボルト頭は嵌合する六角形状の窪み(13)を設ける。なお、内枠(3)の連結棚(7)と外枠(4)の連結棚(8)は内枠(3)を外枠(4)に嵌合したとき内枠(3)の脚片(5)の高さだけ間隙が生ずるようにし、内枠(3)のボルト挿通溝(9)の上面開口部のボルト取付位置にボルト頭(19)が嵌合する窪みを設ける。
【００１３】
図４に示す如く嵩上用の座金(14)は、上面より見たとき内枠(3)の内壁面の曲面に等しい扇形をなし、かつ、上方に拡開した溝状で、相対する傾斜片(15),(15)の傾斜角度は内枠(3)の脚片(5)の側辺面(11),(11)の傾斜角度と等しくなるよう形成し、内枠(3)の脚片(5)の外枠(4)の脚片受(6),(6)との接触面に被着できるよう構成し、必要に応じ傾斜片(15),(15)の厚さの異なる座金(14)を用意する。
【００１４】
図５(a)は嵩上前の内枠(3)と外枠(4)の連結部の状態を示すもので、嵩上げに当っては図５(b)に示す如くボルト(17)、ナット(18)を取外したのち、ボルト(17)ナット(18)を螺合しボルト頭(19)を外枠(4)の連結棚(8)のボルト挿通孔(10)の上面の窪み(13)に嵌合しボルト軸を内枠(3)のボルト挿通溝(9)に前側より挿入しボルト(17)を逆さに立てたのち、ナット(18)を回転させることにより内枠(3)は所要の高さまで持上げられ、内枠(3)の脚片(5)と外枠(4)の脚片受(6),(6)間に座金(14)を挿入後、ボルト(17)、ナット(18)を取外し、再び図５(a)の如く連結し、嵩上げ作業は完了する。
【００１５】
〔実施例２〕図６，７に示す実施例の蓋体の受枠は、実施例１とは外枠の構成が異なり座金を用いずに嵩上げするものである。すなわち、内枠(21)は図６(a)に示す如く実施例１と同様に外枠(22)に嵌合する内壁上部に蓋板担持部を有する円筒形をなし下端面の円周を３等分した位置に先細とした逆台形状の脚片(23)が垂設される。
【００１６】
外枠(22)は、図６(b)に示す如く、内枠(21)が嵌挿され内接する円筒部とその下端に地下構築物の地上開口部に取付けられるための据付部(24)を有し、内壁下端に内方に向って支持棚(7)が棚設され、図６(b)および図７に示す如く内壁面の内周とほゞ等しい外周を持ち上端面の円周を３分割した位置に両辺が内枠(21)に垂設された脚片(23)の傾斜する両辺と同じ傾斜角度を有する台形状の脚片受(27),(27)…を脚片受(27)と脚片受(27)の頂部間の間隙を内枠(21)の脚片(23)の台形状の基部の幅(a)と一致させ順次一定長さ(b)だけ狭くし、内枠(21)の脚片(23)が嵌合したとき内枠(21)が順次高くなるよう隆設した支持環(26)が支持棚(25)に担持され回転可能となるよう装着される。
【００１７】
なお、内枠(21)の下縁および外枠(22)の支持棚(25)には実施例１同様の連結棚(7)および(8)がそれぞれ内周を３等分した位置に棚設され、内枠(21)と外枠(22)はボルト，ナットで連結するよう構成する。なお、外枠(22)の連結棚(8)が支持棚(25)の幅よりも厚くなるときは支持環(26)の回動を考慮し棚設する。
【００１８】
【発明の効果】
本発明は、以上説明したように構成されているので、以下に記載されるような効果を有する。
内枠は３つの脚片で支持され、かつ、ボルト，ナットで外枠と一連結されているのでがたつく恐れがない。
嵩上げに際し、連結しているボルト，ナットを取り外し、取り外したボルト，ナットをジャッキ代りとして内枠を所要の高さに持ち上げることができるので、機械装置は不要である。
内枠は逆台形状の脚片の相対する傾斜する側辺面を外枠の脚片受の２つの傾斜面が接触し支えており、その間に座金が挿入されたときも同様傾斜面で支えられるよう構成されているのでなじみがよく時間の経過ど共にがたつく恐れもない。
【図面の簡単な説明】
【図１】  蓋板の一部を切欠く平面図。
【図２】  図１のＡ−Ａ線部における、(a)内枠の部分拡大正面図、(b)外枠の部分拡大正面図。
【図３】  図１のＢ−Ｂ線部における、(a)内枠の部分拡大断面図、(b)外枠の部分拡大断面図。
【図４】嵩上用の座金の、(a)正面図、(b)平面図。
【図５】嵩上げ作業を示す連結部の概略断面図。
【図６】他の実施例の、(a)内枠の断面図、(b)外枠の断面図。
【図７】図６の外枠の平面図。
【符号の説明】
１        蓋板
２        受枠
３，２１  内枠
４，２２  外枠
５，２３  脚片
６，２４  脚片受
７，８    連結棚
９        ボルト挿通溝
１０        ボルト挿通孔
１１        側片面
１２        傾斜面
１３        窪み
１４        座金
１５        傾斜片
１６        底辺
１７        ボルト
１８        ナット
１９        ボルト頭
２５        支持棚
２６        支持環
【図１】
0003823200.tif 000002
【図２】
0003823200.tif 000003
【図３】
0003823200.tif 000004
【図４】
0003823200.tif 000005
【図５】
0003823200.tif 000006
【図６】
0003823200.tif 000007
【図７】
0003823200.tif 000008